(57)【要約】【課題】  必要部分のみを翻訳して出力する低コストで使い勝手の良い翻訳装置を提供する。【解決手段】  この翻訳装置１は、翻訳元文書を入力するための画像入力部１２と、入力された翻訳元文書からインデックス部を特定し、特定されたインデックス部から予め指定されたキーワード情報を含むものを抽出する制御部１８と、抽出されたインデックス部とそのインデックス部に対応する本文とを翻訳する翻訳部１４と、翻訳結果を出力する出力部１５とを有する【選択図】      図３
2007052597.tif 000002
【特許請求の範囲】
【請求項１】
翻訳元文書を入力するための文書入力部と、
入力された翻訳元文書からインデックス部を特定し、特定されたインデックス部から予め指定されたキーワード情報を含むものを抽出する編集部と、
抽出されたインデックス部とそのインデックス部に対応する本文とを翻訳する翻訳部と、
翻訳結果を出力する出力部とを有することを特徴とする翻訳装置。
【請求項２】
前記文書入力部は、紙文書を画像入力する画像入力装置を有することを特徴とする請求項１に記載の翻訳装置。
【請求項３】
前記編集部は、入力された画像をレイアウト解析することによりインデックス部を特定することを特徴とする請求項２に記載の翻訳装置。
【請求項４】
前記キーワード情報は、主キーワードとその関連キーワードから構成されていることを特徴とする請求項１ないし請求項３のいずれかに記載の翻訳装置。
【請求項５】
前記キーワード情報は、各キーワードの優先度を表す指標を有していることを特徴とする請求項１ないし請求項４のいずれかに記載の翻訳装置。
【請求項６】
出力量の最大値を指定可能となっていることを特徴とする請求項１ないし請求項５のいずれかに記載の翻訳装置。
【発明の詳細な説明】
【技術分野】
【０００１】
本発明は、機械翻訳を用いて、ユーザが求める内容の翻訳を行う翻訳装置に関する。
【背景技術】
【０００２】
国際的なビジネスの発展と、通信ネットワークの広がりにより、多くの情報が、原語で入手可能になってきている。そして、それらの情報を有効に利用することは、個人的なレベルでも、社会的なレベルでも重要性を増しつつある。しかしながら、そのような情報の利用は、他国の言語による多くの情報の中から、必要なあるいは興味のある情報を選択するという困難な作業を伴う。
【０００３】
このような場合に、コンピュータによる機械翻訳を用いることが考えられる。実際に、外国語情報を定常的に機械翻訳し、利用者に利用できる状態で提供することは、多くの組織や、インターネットのようなオープンな領域でも日常的に行われていることである。しかしながら、このようなシステムでは、提供者は、多数の利用者に共通の関心が有る情報のみを対象としている。
【０００４】
個別のユーザに対して、機械翻訳による翻訳サービスを行うシステムも既に存在する。ユーザは、このような翻訳サービスを、所定の外国語情報の中から自分が必要とする情報を収集する目的で利用することができる。しかしながら、不必要な情報を翻訳しても、役に立たないばかりか、翻訳コストが大きくなりまた、翻訳後であっても、多くの情報から必要な情報を探すために時間を要する。
例えば、特許文献１には、翻訳対象の文章に以前に翻訳した文章と同一部分があった場合には、過去の翻訳文を利用することによって無駄な翻訳作業を行うことを回避し翻訳コストを低減させる技術が開示されているが、このような技術を用いたとしても、個別のユーザに対して不必要と判断される情報の翻訳を回避することは不可能である。
【特許文献１】特開平３−２８２９６５号公報
【発明の開示】
【発明が解決しようとする課題】
【０００５】
本発明は、前記事情に鑑みて為されたもので、翻訳元文書の中から、必要と判断される部分のみを翻訳して出力することで、低コストでより使い勝手の良い翻訳装置を提供することを目的とする。
【課題を解決するための手段】
【０００６】
前記目的を達成するために、請求項１に記載の翻訳装置は、翻訳元文書を入力するための文書入力部と、入力された翻訳元文書からインデックス部を特定し、特定されたインデックス部から予め指定されたキーワード情報を含むものを抽出する編集部と、抽出されたインデックス部とそのインデックス部に対応する本文とを翻訳する翻訳部と、翻訳結果を出力する出力部とを有することを特徴とする。
【０００７】
請求項１に記載の発明においては、まず翻訳元文書からインデックス部を特定し、特定されたインデックス部からキーワード情報を含むものを抽出してその本文を翻訳するので、翻訳作業量を軽減してコストを低減しつつ、必要な情報のみを選択した状態で翻訳文書が出力される。
【０００８】
請求項２に記載の翻訳装置は、請求項１に記載の発明において、前記文書入力部は、翻訳元文書を画像データとして入力する画像入力装置を有することを特徴とする。
請求項２に記載の発明においては、画像入力装置として、紙文書であれば、スキャナが用いられ、電子データであれば、通信回線や電子データ媒体を読みとる装置が用いられる。
【０００９】
請求項３に記載の翻訳装置は、請求項２に記載の発明において、前記編集部は、入力された画像をレイアウト解析することによりインデックス部を特定することを特徴とする。
請求項３に記載の発明においては、レイアウト解析において、インデックス部と本文、あるいはその他の部分との形態的特徴の差異等を利用して、特定を行う。
【００１０】
請求項４に記載の翻訳装置は、請求項１ないし請求項３のいずれかに記載の発明において、前記キーワード情報は、主キーワードとその関連キーワードから構成されていることを特徴とする。
請求項４に記載の発明においては、キーワード情報とし、主キーワードとその関連キーワードを含むものを採用することで、主キーワードと関連する情報までを抽出することができる。
【００１１】
請求項５に記載の翻訳装置は、請求項１ないし請求項４のいずれかに記載の発明において、前記キーワード情報は、各キーワードの優先度を表す指標を有していることを特徴とする。
請求項５に記載の発明においては、キーワードの優先度を表す指標を用いることで、優先度に応じた取り扱いを適宜にすることができる。
【００１２】
請求項６に記載の翻訳装置は、請求項１ないし請求項５のいずれかに記載の発明において、出力量の最大値を指定可能となっていることを特徴とする。
請求項６に記載の発明においては、出力量の最大値を指定することで、ユーザが必要とするだけの量を出力させ、人が選別する負担を軽減する。
【発明の効果】
【００１３】
請求項１ないし請求項６に記載の翻訳装置によれば、必要部分のみを翻訳して出力する低コストで使い勝手の良い翻訳装置を提供することができる。
【発明を実施するための最良の形態】
【００１４】
以下、図面を参照してこの発明の実施の形態を説明する。
［構成］
図１は、本実施形態に係る翻訳装置１の構成を示す図である。
この翻訳装置１は、外国語（翻訳元言語）の入力文書（翻訳元文書）を入力した後、そのうちの必要な箇所を選択して、ユーザの言語（翻訳先言語）に翻訳して出力するものである。この実施の形態では、入力文書も出力文書も紙の形であるが、これに限られるものではない。
【００１５】
翻訳装置１は、ユーザに操作されて指示を入力する操作部１１、原稿を読みとってその画像データを取得するイメージスキャナ等の画像入力部１２、これらの入力されたデータを一時的に記憶する記憶部（ＲＡＭ）１３、記憶されたデータの内容を翻訳する翻訳部１４、および翻訳処理を受けたデータを出力する出力部１５と、各種のデータテーブルやプログラムを記憶する主記憶部１６、ＩＣカードリーダのような補助入力部１７、およびこれらの各部の動作を制御し、データを授受し、その間にデータを加工する編集部（制御部）１８を有する。なお、これらの各部は、ハードウエア部分とソフトウエア部分とを含んでおり、ソフトウエア部分については、機能をベースとして仮想的に構築したものである。
【００１６】
この翻訳装置１は、例えば、登録されたユーザに使用させるために、所定の場所に設置されている。ユーザはユーザカード（ＩＣカード）を持っており、これには、ユーザのＩＤ、個人情報、およびユーザが探している情報の種類を示すキーワード情報が記載されている。ＩＣカードへのキーワード情報の書き込みは、操作部１１からでもできるが、ユーザ個人のコンピュータ等の装置から事前に入力しておくこともできるようになっている。この例では、キーワード情報は、１つのキーワードとその関連情報から構成されている。      
【００１７】
図２は、「日本」というキーワードに関するキーワード情報の例であり、優先度０は同意語、略語であり、キーワードと同じレベルである。優先度１は主要な都市名、優先度２は観光地、優先度３は固有の文化、優先度４は歴史、優先度５は人気のあるスポーツ、等が挙げられている。この例では、数値が小さいほど優先度が高い。この例のキーワード情報は、「外国で話題になる日本の記事」を探索するという目的でユーザが作成したものであるが、例えば、翻訳装置１の主記憶部１６に用意したものからユーザが選択して設定するようにしてもよい。
【００１８】
操作部１１には、キーボード、マウス等の入力手段や、液晶ディスプレイ等の表示手段が設けられている。主記憶部１６は、図示しない電源から電力が供給されなくともデータを保持することが可能な不揮発性メモリであり、後述の動作を導くプログラム、翻訳元言語と翻訳先言語とが対応付けられている翻訳用の辞書Ｄ等を記憶している。辞書Ｄは、ユーザのニーズに応じた複数種類の言語に対応しており、それらの中から選択して用いられる。
【００１９】
電源から装置に電力が供給され、ＩＣカードリーダ１７にＩＣカードが装着される等の条件が整うと、制御部１８は、主記憶部１６からプログラムＰを読み出して実行する。これによって、翻訳装置１の各部を制御可能な状態となり、次に述べる動作を行う。以下の説明では、図３のフロー図を参照する。
【００２０】
［動作］
制御部１８は、まず、ＩＣカードリーダ１７に装着されたＩＣカードのキーワード情報を読み出し、ＲＡＭ１３のキーワードテーブルに記憶する（ステップ１）。次に、制御部１８は、ユーザに対して翻訳元文書の入力と、翻訳元および翻訳先言語の特定、および最大出力量の指定のための入力を促す（ステップ２）。ユーザは、紙文書である翻訳元文書を原稿台にセットして、読み取りを開始するとともに、操作部１１を用いて翻訳元言語と翻訳先言語の種類や、最大出力量を入力する。翻訳元文書が複数の言語を含んでいる場合には、翻訳元言語については制御部１８に判断させるようにしてもよい。最大出力量は、絶対値（原稿用紙で５頁分）、翻訳元文書の情報量に対する比率（原文の１０％）、または使用者に対する課金額（５０００円）等の適宜の方法で設定することができる。
【００２１】
これらの指示が終わった後、制御部１８は、原稿台に文書がセットされたことを確認し、読みとった画像データをＲＡＭ１３に記憶する（ステップ３）。次に、ステップ３で取得された画像データに対して、ＯＣＲ（Optical Character Recognition）を行ってテキストデータを生成し（ステップ４）、ＲＡＭ１３に記憶する。制御部１８は、さらに、画像データに対してレイアウト解析を行い、インデックス（見出し）部分を抽出する（ステップ５）。
【００２２】
インデックス部は、翻訳元文書のレイアウトにおいて、本文とは異なる幾つかの特徴を持っている。例えば、章、節、という表記の直後に存在し、文字が大きく、本文とは切り離された短い文章である、等である。また、図や表のタイトルや説明は、図や表の近辺にレイアウトされているという特性等を考慮して、インデックス部とは区別する。これらの特性を基にレイアウト解析を行って、インデックス部を判断することができる。これにより、ステップ４で得られたテキストデータは、インデックス部と本文とに分けられ、上下関係から対応させて、図４に示すように、インデックス部と本文とからなる対象単位文書が構成される。この例では、７の対象単位文書が構成された。
【００２３】
次に、制御部１８は、図５の「インデックス部訳文」欄に示すように、各対象単位文書のインデックス部だけを翻訳する（ステップ６）。そして、翻訳結果の中にＲＡＭ１３に記憶されたキーワードが存在するかどうかを探索し（ステップ７）、キーワードが存在する対象単位文書を抽出する（ステップ８）。これは、図５において「キーワード」欄で○によって示されている。次に、この抽出した対象単位文書を、図５の「本文訳文」欄に示すように、翻訳先言語に翻訳する（ステップ９）。
【００２４】
抽出された対象単位文書の翻訳が終わった後、個々の対象単位文書の出力量を計算し、優先度の高いものから、最大出力量を超えない範囲で対象単位文書を選択し、出力する対象文書を決定する（ステップ１０）。この例では、番号１の対象単位文書のキーワードの優先度が０、番号３の対象単位文書のキーワードの優先度が１、番号６の対象単位文書のキーワードの優先度が３であり、番号８の対象単位文書のキーワードの優先度が６であった。番号１，３，６の対象単位文書の出力量の合計が指定された最大出力量を超えず、番号１，３，６，８の対象単位文書の出力量の合計が指定された最大出力量を超えるので、出力されるのは、番号１，３，６の対象単位文書となった。
【００２５】
制御部１８は、出力すると決定された対象単位文書について、インデックス訳文と本文訳文とを組み合わせ、イメージ化したデータを出力部１５に送り、出力（印刷）する（ステップ１１）。結果を図６に示す。なお、翻訳結果は、印刷以外の適宜の方法で出力されるようにしてもよい。例えば、電子データとしてＩＣカードを含む適宜の媒体に記憶させてもよいし、インターネットやＬＡＮのような通信回線を経由して送信してもよい。
【００２６】
このようにして、翻訳され出力された文書は、ユーザの指定したキーワードを含む対象単位文書のみであり、ユーザにとって有用性の高い情報を含む文書である。従って、この翻訳装置は、ユーザが効率的に有効利用することができる価値の高い情報を提供することができる。
【００２７】
以上、この発明を実施の形態に沿って説明したが、本発明はこれに限定されるものではない。例えば、キーワード情報は、国名をキーワードにした場合を例示したが、このような地域名だけでなく、特定の情報を選択するためのあらゆる種類のキーワードを用いることができる。また、上記例では、キーワード情報は、ユーザが自分で作成したものを入力したが、翻訳装置に用意してあるものから選択する形式でもよいし、外部のデータベースにアクセスしてこれを援用するような方法でもよい。例えば、事典のようなデータベースを用いて、説明書きにキーワードが存在するような語を全てキーワード情報として引用するような方法を採用することができる。
また、上記例では、キーワード情報の指定と翻訳先言語の指定とを独立に行う場合について説明したが、特定の国に関するキーワード情報を用いる場合には、キーワード情報の指定と翻訳先言語の指定とを互いに関連させ、両者の何れか一方のみを指定させるようにしても良い。例えば、特定の国に関するキーワード情報に、その国の公用語を表すデータを対応付けて国毎に翻訳装置１に予め記憶させておき、それら複数のキーワード情報のうちの何れか１つが指定された場合には、そのキーワード情報に対応付けられているデータの表す言語を翻訳先言語とすればよい。逆に、翻訳先言語が指定された場合には、その翻訳先言語を表すデータに対応付けられているキーワード情報を用いるようにしても良い。なお、国とその国の公用語との関係は必ずしも１対１ではないから、ユーザによって指定されたキーワード情報に複数の言語を表すデータが対応づれられている場合には、それら複数の言語のうちの何れか１つを翻訳先言語としてユーザに指定させればよく、また、ユーザによって指定された翻訳先言語に対応するキーワード情報が複数ある場合には、それら複数のキーワード情報のうちの何れか１つをユーザに選択させるようにすればよい。
【００２８】
また、この例では、入力文書として紙文書を用いたが、電子化されたデータを用いることができる。このようなデータは、磁気ディスクのような媒体や、インターネット等の通信回線を用いて入力が可能であり、入力部はそれらに対応したものが使用される。ユーザと翻訳装置とは、電子データを通信回線を介して授受できるので、翻訳サービス自体を通信回線経由で提供することができる。なお、翻訳元文書の電子データがイメージデータでなくテキストデータである場合には、インデックス部と本文とを区別するための指標を付加させておき、それを基に翻訳装置が両者を区別する等の方法を採用する。
【図面の簡単な説明】
【００２９】
【図１】この発明の実施の形態の翻訳装置の構成を示すブロック図である。
【図２】キーワード情報の構造の一例を示す図である。
【図３】この発明の実施の形態の翻訳装置の動作を示すフロー図である。
【図４】翻訳元文書の例を示す図である。
【図５】文書の翻訳の過程を示す図である。
【図６】翻訳結果を示す図である。
【符号の説明】
【００３０】
１・・・翻訳装置、１２・・・文書入力部、１４・・・翻訳部、１８・・・制御部（編集部）、１５・・・出力部
【図１】
2007052597.tif 000003
【図２】
2007052597.tif 000004
【図３】
2007052597.tif 000005
【図４】
2007052597.tif 000006
【図５】
2007052597.tif 000007
【図６】
2007052597.tif 000008